(57)【特許請求の範囲】
【請求項１】
仕切板の下部を上方から挿入可能な挿入部を有し、キッチンカウンタ上に固定される本体と、
該本体の該挿入部に挿入されて該仕切板の一方の面を押圧する押圧部材と、
を備え、
該本体上には、該挿入部の両側に第１固定支持部と第２固定支持部が立設され、
該挿入部内の該押圧部材と対向して、押圧支持面が該第２固定支持部の側面に設けられ、該押圧部材は該挿入部内で該仕切板の厚さ方向に移動可能に配設され、該第１固定支持部内には複数の締付ネジが、先端を該押圧部材に当接させ且つ押圧可能にねじ込まれ、
該締付ネジの先端で該押圧部材を押圧しながら、該複数の締付ネジを該仕切板の板厚方向にねじ込み、該押圧部材と該第２固定支持部の側面の該押圧支持面との間で、該仕切板を挟持することを特徴とするキッチン用仕切板の挟持装置。
【請求項２】
前記第１固定支持部内に、複数のネジ挿入孔が前記仕切板の板厚方向に穿設され、該ネジ挿入孔内にメネジ部が設けられ、該ネジ挿入孔内の該メネジ部に前記締付ネジが螺合してねじ込まれることを特徴とする請求項１記載のキッチン用仕切板の挟持装置。
【請求項３】
前記第１固定支持部内に、前記ネジ挿入孔と直角に交差するナット挿入角孔が設けられ、該ナット挿入角孔に前記メネジ部としてナットが回動を阻止した状態で挿入されたことを特徴とする請求項２記載のキッチン用仕切板の挟持装置。
【請求項４】
前記押圧部材の前記第１固定支持部側の面に、突条が縦方向に設けられ、該第１固定支持部の内側面に該突条が嵌合する凹部が設けられたことを特徴とする請求項１記載のキッチン用仕切板の挟持装置。
【請求項５】
前記本体の前記第１固定支持部と第２固定支持部に、カバーが取り付けられ、前記挿入部を除く該第１固定支持部と該第２固定支持部の外側面が該カバーによって覆われたことを特徴とする請求項１記載のキッチン用仕切板の挟持装置。
【請求項６】
前記締付ネジとして、頭なし穴付ボルトが、前記第１固定支持部内に、先端を前記押圧部材に当接させ且つ押圧可能にねじ込まれたことを特徴とする請求項１記載のキッチン用仕切板の挟持装置。
【請求項７】
前記押圧部材の前記第１固定支持部側の面に、前記締付ネジの先端が当接するための当て部が突設されたことを特徴とする請求項１記載のキッチン用仕切板の挟持装置。
【請求項８】
前記本体の挿入部内に、前記仕切板の下部に当接する挟持パッドが挿入されたことを特徴とする請求項１記載のキッチン用仕切板の挟持装置。
【発明の詳細な説明】
【技術分野】
【０００１】
本発明は、キッチンカウンタ上にキッチン用仕切板を立設状態で挟持するキッチン用仕切板の挟持装置に関する。
【背景技術】
【０００２】
アイランドキッチンなどにおいて、従来、シンクの近傍に水の飛散をガードし、或いは加熱部と洗浄部とを仕切るために、キッチン用仕切板がキッチンカウンタ上に立てて装着される場合がある。このようなキッチン用仕切板をキッチンカウンタ上で、取り外し可能に或いは交換可能に挟持する装置として、仕切板の挟持装置が下記特許文献１，２で提案されている。
【先行技術文献】
【特許文献】
【０００３】
【特許文献１】特開２００７−１９５８３１号公報
【特許文献２】特開２０１０−１１９５３号公報
【発明の概要】
【発明が解決しようとする課題】
【０００４】
上記文献に記載される仕切板の挟持装置は、何れの装置も、基本的には、カウンタ上に、一方の挟持部を設けた本体部を固定ネジで固定し、本体部に対し、他方の挟持部を設けた挟持部材を移動可能に配設し、１本の締付ネジにより本体部に対し挟持部材を締め付ける構造である。そして使用時には、仕切板を本体部と挟持部材の挟持部間に挿入した状態で、締付ネジを締め付け、本体部の挟持部と挟持部材の挟持部との間で、仕切板を挟み付けるように構成される。
【０００５】
しかしながら、この従来の仕切板挟持装置は、１本の締付ネジで仕切板の挟持力を付与するように構成され、且つ１本の締付ネジは、仕切板に接して挟持する箇所から離れた下方位置で、メネジ部にねじ込まれ、締付力を生じさせる構造である。
【０００６】
このため、締付ネジを締め付けたとき、締付ネジの締付力が実際に挟持する本体部の挟持部と挟持部材の挟持部との間に、間接的に印加される。さらに、締付ネジを締め付けたとき、本体部や挟持部材の各部分に、締付ネジの締付力に伴う変形が生じやすい。このため、上記仕切板挟持装置は、使用に伴い、仕切板に傾動荷重などが繰り返しかかると、仕切板の挟持状態にぐらつきが生じやすくなる課題があった。
【０００７】
本発明は、上述の課題を解決するものであり、仕切板をぐらつかせずに堅固に挟持することができるキッチン用仕切板の挟持装置を提供することを目的とする。
【課題を解決するための手段】
【０００８】
本発明に係るキッチン用仕切板の挟持装置は、
仕切板の下部を上方から挿入可能な挿入部を有し、キッチンカウンタ上に固定される本体と、
該本体の該挿入部に挿入されて該仕切板の一方の面を押圧する押圧部材と、
を備え、該本体上には、該挿入部の両側に第１固定支持部と第２固定支持部が立設され、
該挿入部内の該押圧部材と対向して、押圧支持面が該第２固定支持部の側面に設けられ、該押圧部材は該挿入部内で該仕切板の厚さ方向に移動可能に配設され、該第１固定支持部内には複数の締付ネジが、先端を該押圧部材に当接させ且つ押圧可能にねじ込まれ、
該締付ネジの先端で該押圧部材を押圧しながら、該複数の締付ネジを該仕切板の板厚方向にねじ込み、該押圧部材と該第２固定支持部の側面の該押圧支持面との間で、該仕切板を挟持することを特徴とする。
【０００９】
この発明の挟持装置によれば、複数の締付ネジをねじ込むことにより、締付ネジの先端が押圧部材を直接押圧し、且つ押圧部材と第２固定支持部の押圧支持面との間で、仕切板を押圧して挟持するため、本体や押圧部材の各部分に、締付ネジの締付力に伴う変形は生じない。このため、締付ネジの締付力を高効率で押圧部材と第２固定支持部の押圧支持面間の仕切板に付与し、仕切板を押圧部材と第２固定支持部の押圧支持面間で強力に挟持することができ、長期間にわたり、仕切板をぐらつかせずに堅固に挟持することができる。
【００１０】
ここで、上記挟持装置において、上記第１固定支持部内には、複数のネジ挿入孔が上記仕切板の板厚方向に穿設され、該ネジ挿入孔内にメネジ部が設けられ、ネジ挿入孔内のメネジ部に上記締付ネジを螺合してねじ込むように構成することができる。さらに、上記挟持装置において、上記第１固定支持部内にネジ用挿入孔と直角に交差するナット挿入角孔を設け、該ナット挿入角孔にメネジ部としてナットを、回動を阻止した状態で挿入し、取り付けることができる。これにより、上記メネジ部をネジ挿入孔に回動を阻止した状態で簡単に取り付けることができる。
【００１１】
またここで、上記押圧部材の上記第１固定支持部側の側面に、突条が縦方向に設けられるとともに、該突条が嵌合する凹部が該第１固定支持部の内側面に設けられた構成とすることが好ましい。これによれば、仕切板の平面方向に荷重がかかり、本体の挿入部内の押圧部材に、その平面方向に移動力が印加された場合であっても、押圧部材の平面方向へのずれを防止することができる。
【００１２】
またここで、上記本体には、上記挿入部を除き、上記第１固定支持部と第２固定支持部を覆うカバーを取り付けることが好ましい。これにより、第１固定支持部に穿設したネジ挿入孔及びナット挿入角孔などがカバーにより覆われ、挟持装置の外観を良好にするとともに、締付ネジなど金属部品の腐蝕を防止することができる。
【発明の効果】
【００１３】
この発明によれば、キッチン用仕切板を、キッチンカウンタ上でぐらつかせずに堅固に挟持することができる。
【図面の簡単な説明】
【００１４】
【図１】本発明の一実施形態を示すキッチン用仕切板の挟持装置の斜視図である。
【図２】図１のII-II断面図である。
【図３】図１のIII-III断面図である。
【図４】挟持装置を斜め下方から見た斜視図である。
【図５】カバーを外した状態の斜視図である。
【図６】挟持装置の分解斜視図である。
【図７】本体の正面図（ａ）、平面図（ｂ）、右側面図（ｃ）及び縦断面図（ｄ）である。
【図８】押圧部材の正面図（ａ）、平面図（ｂ）、右側面図（ｃ）及び背面図（ｄ）である。
【図９】キッチン用仕切板の挟持装置の使用状態を示す斜視図である。
【図１０】同使用状態の縦断面図である。
【図１１】仕切板を挟持させる際の縦断面図である。
【発明を実施するための形態】
【００１５】
以下、本発明の一実施形態を図面に基づいて説明する。このキッチン用仕切板の挟持装置は、図６に示すように、概略的には、仕切板の下部を上方から挿入可能な挿入部１０を有し、キッチンカウンタ上に固定される本体１と、本体１の挿入部１０に挿入されて仕切板の一方の面を押圧する押圧部材２とを備えて構成される。
【００１６】
本体１は、図７に示すように、合成樹脂などにより一体成形され、略中央に設けた挿入部１０の両側に、第１固定支持部１１と第２固定支持部１２が立設される。第１固定支持部１１と第２固定支持部１２上には、図６に示す如く、カバー７，８が被せられる。カバー７は挿入部１０を除く第１固定支持部１１の上部を覆う形状に合成樹脂で形成され、他方のカバー８は挿入部１０を除く第２固定支持部１２の上部を覆う形状に合成樹脂で形成される。カバー７，８の内側と第１固定支持部１１及び第２固定支持部１２の外側には、図６に示す如く、相互に嵌着される嵌着部が設けられている。
【００１７】
本体１の挿入部１０は、図７に示すように、両側及び上部を開口した板状空間として形成され、第２固定支持部１２の内側面に、平坦な押圧支持面１２ａが設けられる。さらに、第１固定支持部１１の内側面には、押圧部材２を挿入するための空間と半円柱状の凹部１１ａが設けられる。そして、半円柱状の凹部１１ａの真下には固定ネジ用の固定ネジ孔１１ｂが穿設される。
【００１８】
さらに、本体１の第１固定支持部１１には、正面から水平方向に３本のネジ挿入孔１７，１８，１９が、略三角形の頂点位置に、挿入部１０の空間まで穿設される。加えて、第１固定支持部１１には、その上面から鉛直方向に３本のナット挿入角孔１４，１５，１６が穿設され、ナット挿入角孔１４は上記ネジ挿入孔１７と直角に交差し、ナット挿入角孔１５は上記ネジ挿入孔１８と直角に交差し、ナット挿入角孔１６は上記ネジ挿入孔１９と直角に交差する。
【００１９】
３本のネジ挿入孔１７，１８，１９は、各々、締付ネジ４が挿入可能な程度の内径を持って形成され、３本のナット挿入角孔１４，１５，１６は、各々、メネジ部３を挿入可能な太さであって、孔の底部はメネジ部３の回動を阻止する形状に形成される。メネジ部３は、図６に示す如く、ここではナットが使用されるが、他のメネジ部材とすることもできる。また、締付ネジ４は図６に示す如く、ここでは頭なし六角穴付ボルトが用いられるが、頭なし十字穴付ボルトとすることもできる。
【００２０】
図６に示すように、３個のメネジ部３は、各ナット挿入角孔１４，１５，１６内に上から挿入され、３本の締付ネジ４は、各々、ネジ挿入孔１７，１８，１９に挿入され、ナット挿入角孔１４，１５，１６内のメネジ部３と螺合可能である。
【００２１】
挿入部１０内に挿入される押圧部材２は、図８に示すように、その正面形状を挿入部１０の正面形状と同様な形状とした板状に形成され、且つその正面側の略中央に、半円柱状の突条２ａが縦方向に形成され、突条２ａの両側の正面側に、当て部２ｂが突設される。これにより、３本の締付ネジ４を、各々、ネジ挿入孔１７，１８，１９に挿入し、その先端部をナット挿入角孔１４，１５，１６内のメネジ部３と螺合させてねじ込むと、両側２本の締付ネジ４の先端が押圧部材２の当て部２ｂに当接し、中央の締付ネジ４の先端が押圧部材２の中央の突条２ａに当接し、押圧部材２を三角形の略頂点位置で第２固定支持部１２側に押圧するようになっている。
【００２２】
また、押圧部材２の背面側につまり挿入部１０内に挿入された押圧部材２の第２固定支持部１２側の面に、押圧支持面２ｃが形成される。つまり、押圧部材２の第２固定支持部１２との対向面に、押圧支持面２ｃが設けられ、この押圧支持面２ｃと上記第２固定支持部１２の押圧支持面１２ａとの間で、仕切板２０を挟持するようになっている。
【００２３】
さらに、押圧部材２は、挿入部１０内で、左右方向への移動を阻止され、且つ仕切板の厚さ方向つまり前後方向に移動可能に配設される。このために、第１固定支持部１１の内側面には、半円柱状の凹部１１ａが縦方向に形成され、押圧部材２を挿入部１０内に挿入したとき、その突条２ａが凹部１１ａに、前後方向に移動可能に嵌合し、且つ押圧部材２の側方への移動を阻止する構造となっている。
【００２４】
図８に示すように、押圧部材２の第２固定支持部１２との対向面に、押圧支持面２ｃが設けられ、仕切板２０が、この押圧部材２の押圧支持面２ｃと第２固定支持部１２の押圧支持面１２ａ間で挟持されるようになっている。この挟持のために、第１固定支持部１１内には３本の締付ネジ４が、先端を押圧部材２に当接させ且つ押圧可能にねじ込まれる。
【００２５】
上記構成の挟持装置を組み立てる場合、図６に示すように、本体１のナット挿入角孔１４，１５，１６に、各々、メネジ部（六角ナット）３を上から挿入する。このとき、各メネジ部３は、ナット挿入角孔１４，１５，１６の底部まで落下し、その位置で回動を阻止され、且つ各ナット挿入角孔１４，１５，１６の底部と直角に交差する各ネジ挿入孔１７，１８，１９に、そのメネジ孔を向けた状態で嵌入される。
【００２６】
一方、挿入部１０には、図６に示す如く、押圧部材２が上から挿入され、さらに、その押圧支持面２ｃと第２固定支持部１２の押圧支持面１２ａとの間に、２枚の挟持パッド５を挿入する。挟持パッド５は、エラストマーなどのゴム状弾性シートなどから形成され、仕切板２０の挟持面に当てられる。
【００２７】
そして、第１固定支持部１１の各ネジ挿入孔１７，１８，１９に締付ネジ４を挿入し、その先端部を、奥に位置するナット挿入角孔１４，１５，１６内の各メネジ部３にねじ込み、３本の締付ネジ４の先端を、押圧部材２の両側の当て部２ｂと中央の突条２ａに当接させ、組立が完了する。
【００２８】
上記構成のキッチン用仕切板の挟持装置の使用態様を説明すると、この挟持装置は、図９のように、その本体１をキッチンカウンタＫ上に固定し、仕切板２０を立てた状態で挟持する。
【００２９】
挟持装置の本体１をキッチンカウンタＫ上に固定する場合、キッチンカウンタＫ上の所定位置に固定孔を穿設し、図１１に示すように、固定ネジ９を本体１の固定ネジ孔１１ｂに上から挿入してねじ込み、本体１を固定する。図９に示すように、本体１は、適当な間隔をおいて２箇所に固定される。
【００３０】
そして、仕切板２０の下部を、図９のように、両側の本体１の挿入部１０に挿入する。なお、仕切板２０には、所定の大きさに裁断したガラス板のほか、合成樹脂板、木板などを用いることができる。このとき、仕切板２０は、その下部を挿入部１０内の２枚の挟持パッド５間に挿入する。
【００３１】
その状態で、図１１に示すように、ドライバを本体１の第１固定支持部１１のネジ挿入孔１７，１８，１９に差し込み、３本の締付ネジ４を順にねじ込む。これにより、各孔内のメネジ部３に螺合する３本の締付ネジ４の先端が前進し、挿入部１０内の押圧部材２を、仕切板２０の板厚方向に押圧する。これにより、挿入部１０内の仕切板２０は、押圧部材２の押圧支持面２ｃと第２固定支持部１２の押圧支持面１２ａとの間に、２枚の挟持パッド５を介して挟持され、仕切板２０が立てた状態で挟持される。
【００３２】
このとき、押圧部材２は、その正面を、３本の締付ネジ４の先端で、そのネジの軸方向に、つまり押圧部材２の押圧面と垂直方向に、直接押圧荷重を受け、その直接押圧荷重が仕切板２０の挟持面に印加される。そして、仕切板２０は、それらの締付ネジ４による締付力を、板厚方向に押圧部材２を介して直接受け、且つ第２固定支持部１２の押圧支持面１２ａからその反力を受ける。このため、仕切板２０は、押圧部材２からの直接押圧荷重と第２固定支持部１２の押圧支持面１２ａからの反力とを受けて、強力に挟持される。
【００３３】
このように、上記キッチン用仕切板の挟持装置によれば、３本の締付ネジ４をねじ込むことにより、締付ネジ４の先端が押圧部材２をネジの軸方向に直接押圧し、且つ押圧部材２と第２固定支持部１２の押圧支持面１２ａとの間で、仕切板２０を押圧して挟持するため、本体１や押圧部材２の各部分に、締付ネジ４の締付力に伴う変形は生じない。このため、締付ネジ４の締付力を高効率で押圧部材２と第２固定支持部１２の押圧支持面１２ａ間の仕切板２０に付与し、仕切板２０を押圧部材２と第２固定支持部１２の押圧支持面１２ａ間で強力に挟持することができ、長期間にわたり、仕切板２０をぐらつかせずに堅固に挟持することができる。
【符号の説明】
【００３４】
１      本体
２      押圧部材
２ａ    突条
２ｂ    当て部
２ｃ    押圧支持面
３      メネジ部
４      締付ネジ
５      挟持パッド
７      カバー
８      カバー
９      固定ネジ
１０    挿入部
１１    第１固定支持部
１１ａ  凹部
１１ｂ  固定ネジ孔
１２    第２固定支持部
１２ａ  押圧支持面
１４    ナット挿入角孔
１５    ナット挿入角孔
１６    ナット挿入角孔
１７    ネジ挿入孔
１８    ネジ挿入孔
１９    ネジ挿入孔
２０    仕切板
【図１】
0006480292.tif 000002
【図２】
0006480292.tif 000003
【図３】
0006480292.tif 000004
【図４】
0006480292.tif 000005
【図５】
0006480292.tif 000006
【図６】
0006480292.tif 000007
【図７】
0006480292.tif 000008
【図８】
0006480292.tif 000009
【図９】
0006480292.tif 000010
【図１０】
0006480292.tif 000011
【図１１】
0006480292.tif 000012